(57)【要約】【課題】  複雑な膣圧測定装置やコンプレッサや電源等を排しながらも、膣内に所要の圧力を加えることが出来て、膣筋肉の自発的な収縮運動を促すと共にこの運動に合わせて膣内を進退動作することが可能であり、しかも使用に安全安心な膣圧強化具を提供する。【解決手段】  少なくとも表面部がシリコン樹脂等の柔軟で弾力性を有する素材から成る屈曲が自在なものであると共に、膣内に挿入する挿入部と膣口の外側の周辺部に掛かる掛止部とから成るものであり、膣口の内部に当る部位が細く膣内に挿入される先端部が太く設けられており、且つ前記掛止部に指で摘める摘部が設けられていることを特徴とする。【選択図】図１
0003157804.tif 000002
【実用新案登録請求の範囲】
【請求項１】
少なくとも表面部がシリコン樹脂等の柔軟で弾力性を有する素材から成るものであると共に膣内に挿入する挿入部と膣口の外側の周辺部に掛かる掛止部とから成り、膣口の内部に当る部位が細く膣内に挿入される先端部が太く設けられており、且つ前記掛止部に指で摘める摘部が設けられていることを特徴とする、夫婦で用いる膣圧強化具。
【請求項２】
前記掛止部は恥骨部側または会陰部側にカーブしているものである、請求項１に記載の夫婦で用いる膣圧強化具。
【請求項３】
前記摘部の付け根部分に摘み易くするための窪みを設けて成る、請求項１に記載の夫婦で用いる膣圧強化具。
【請求項４】
潤滑剤を注入したりこの潤滑剤が徐々に漏出することが出来るようにするためのポケットをこの膣圧強化具の内部に備えている、請求項１に記載の夫婦で用いる膣圧強化具。
【考案の詳細な説明】
【技術分野】
【０００１】  この考案は夫婦で用いて女性の膣内圧を増強させ正常に戻すことが出来るような膣圧強化具に関するものである。
【背景技術】
【０００２】  正常な膣道の内圧はおよそ４０〜６０ｍｍＨｇであるが、出産後には５〜１０ｍｍＨｇに低下していることが知られている。また中高年ともなるとやはり５〜１０ｍｍＨｇに低下してしまう。このように膣圧が低下すると、くしゃみや咳をしたり笑ったりした弾みに、或いは重い荷物を持ち上げるたりスポーツで腹圧を掛けた際に尿漏れを起したり、夫婦生活に於いてはオーガズムを得ることが出来難くなるなどの諸問題を生ずる。殊に夫婦生活では膣圧が低下することによって男性もオーガズムが得られなくなりセックスレスになる傾向がある。これがまた膣道の萎縮をもたらす原因ともなる。これ等の症状は膣括約筋の筋力が低下していることから起こる。エストロゲンが減少する閉経前後の女性では骨盤底筋群が弱って正しく収縮しなくなっているのである。【０００３】  そこで低下した膣圧を高めて正常値に戻す改善を行うための膣圧増強装置なるものが特開平１１−１４６８６９で開示されている。このものは膣内挿入具と、この膣内挿入具に連結した管と、この管を介して膣内挿入具に所定の流体を送るための送出手段と、膣内挿入具の内部圧力を検出するための圧力センサと、この圧力センサで検出した膣内挿入具の内部圧力を表示するための表示装置と、送出手段を制御して膣内挿入具に送る所定の流体量を調節するためのコントローラとで構成されたものである。
【先行技術文献】
【特許文献】
【０００４】
【特許文献１】  特開平１１−１４６８６９
【考案の概要】
【考案が解決しようとする課題】
【０００５】  特開平１１−１４６８６９は、膣圧測定装置により測定した膣圧に対して増強したい圧力を設定し、膣内挿入具２に連結した管３に送出手段（エアーコンプレッサ）４によってエアーを送出し、膣内挿入具２の内部圧力を高め、これに対して膣筋肉を収縮させて筋力の鍛練を行うものである。この鍛練により腹圧が負荷されてもタイミングよく尿道を締め付けて不用意な尿失禁を防止することが出来ると言うものである。【０００６】  しかしながら特開平１１−１４６８６９は、膣圧の表示装置６を含む膣圧測定装置を備えたり、膣内挿入具２の内部構成が非常に複雑であったり、エアーコンプレッサなどの送出手段４やこれ等のコントローラ７を必要とする。従って電源が必須である。また膣内挿入具２は挿入制限のためと思われるリング体２ａ等を備えているが、これがあるために膣筋肉の収縮に伴う膣筋肉のぜん動運動が阻害されるきらいがある。【０００７】  そこでこの考案は、膣圧測定装置やコンプレッサや電源等を排してシンプルに徹し、膣内に所要の圧力を加えることが出来、膣筋肉の自発的な収縮運動を促すと共にこの運動に合わせて膣内を進退動作することが可能であり、しかも使用に安全安心な膣圧強化具を提供することを課題とするものである。
【課題を解決するための手段】
【０００８】  上記課題は、少なくとも表面部がシリコン樹脂等の柔軟で弾力性を有する素材から成る屈曲が自在なものであると共に、膣内に挿入する挿入部と膣口の外側の周辺部に掛かる掛止部とから成り、膣口の内部に当る部位が細く膣内に挿入される先端部が太く設けられており、且つ前記掛止部に指で摘める摘部が設けられていることを特徴とする、夫婦で用いる膣圧強化具とすることにより達成される。なおシリコン樹脂等の柔軟で弾力性を有する素材単体で全体が構成されていても良いが、例えば柔軟で弾力性を有する合成樹脂素材の表面をシリコン樹脂で覆ったものとしても良い。或いはまたシリコン樹脂等の柔軟で弾力性を有する素材の内部を中空に構成したものであっても良い。【０００９】  表面部はシリコン樹脂等の柔軟で弾力性を有する素材から成るものであるために、膣内で用いても安全である。また全体は屈曲自在であるから膣内壁の運動に対して柔軟に変形し得る。従って掛止部や挿入部と掛止部との間の辺りも柔軟に変形出来るため、掛止部によって挿入部が必要以上に膣内奥に入り込むことがなく安心であるにも拘らず、この掛止部は屈曲自在であるから挿入部の進退運動を阻害しない。また挿入部は膣口に当る部位が細く膣内に挿入される先端部が太くなっている。挿入部が膣内に挿入されることにより膣道は圧力刺激を受けることになるが、膣道への圧迫刺激は膣括約筋の収縮運動を助長して膣道は収縮運動を行なう。こうして膣括約筋の筋力が回復し膣内圧が増強されて正常に戻るのである。膣道の萎縮も改善される。また挿入部の形状に細い部分と太い部分とにより形成されるカーブがあることによって、この収縮運動による力はカーブの部分に加わり挿入部が膣道で進退運動を行うことに成る。従って膣道が挿入部から受ける圧力も単調な刺激ではなくなると言う作用がある。なお掛止部には指で摘める摘部が設けられていることによって、パートナーである夫がこの摘部を都合良く摘んでこの膣圧強化具を妻の膣内に挿入したり取り出して上げることが出来るのである。【００１０】  次にこの考案の膣圧強化具に関して掛止部は恥骨部側または会陰部側にカーブしているものとしても良い。掛止部は挿入部が必要以上に膣内奥に入り込むことがないように設けられるものであると共に、夫による取り扱いの際の摘みともなり便利である。なお膣道の収縮運動に伴なう挿入部の運動に連られるようにして掛止部も運動を行なうため、恥骨部側または会陰部側に対する刺激が増加して、これがまた膣道の収縮運動にもつながる。【００１１】  次にこの考案の膣圧強化具に関して摘部の付け根の部分に摘み易くするための窪みを設けて成るものとすることが出来る。この窪みには指や爪が掛かり易く、取り扱い時に指先が滑るなどの問題が少ない。【００１２】  次にこの考案の膣圧強化具に関して、潤滑剤を注入したりこの潤滑剤が徐々に漏出することが出来るようにするためのポケットをこの膣圧強化具の内部に備えているものとしても良い。膣圧強化具の内部のポケットにゼリー状等の潤滑剤を注入しておけば、膣圧によってポケットから潤滑剤が押し出されて膣道を潤すことが出来る。従って膣道の萎縮があったとしても挿入部の挿入による痛みを感じさせることが緩和される。��おポケットは中空状のものであっても、連続気泡体のようなものが詰められた状態のものであっても良い。後者では詰物が潤滑剤を吸収したり漏出したりする。
【考案の効果】
【００１３】  この考案の膣圧強化具によれば、使用の安全安心を目指したシンプルな構造と形状のものでありながら、膣内に所要の圧力を加えることが出来、膣筋肉の自発的な収縮運動を促すと共にこの運動に合わせて膣内を進退動作することが可能であり、夫による取り扱いが容易である、と言う各種の効果を奏する。
【図面の簡単な説明】
【００１４】
【図１】  第１実施形態を表した説明図である。
【図２】  第２実施形態を縦断面にして表した説明図である。
【図３】  第３実施形態を縦断面にして表した説明図である。
【図４】  第４実施形態を一部縦断面にして表した説明図である。
【考案を実施するための形態】
【００１５】第１実施形態
この実施形態の膣圧強化具１は全体がシリコン樹脂により成型され、先端部が太く設けられて膣内に挿入する挿入部１０とされており、膣口の内部に当る部位が細く設けられて首部１３とされており、後端部が膣口の外側の周辺部に掛かる掛止部１１とされている。またこの実施形態では掛止部１１は恥骨部側にカーブしており、この掛止部１１の後側に指で摘むための摘部１２が設けられている。なお前記挿入部１０の前側ａと後側ｂは傾斜している（図１）。
【００１６】  この膣圧強化具１はシリコン樹脂成型に成るものであるため全体は柔軟で弾力性を有している。従って挿入部１０も首部１３も掛止部１１も柔軟であり、屈曲し易く力を抜くと元の形状に戻る性質を有する。このことによって膣内や膣口の形状にフィット出来るし、膣内で移動させた時には周囲の形状に良く追随するものとなっている。そして夫が指で摘部１２を摘んで挿入部１０を膣口から膣道内へゆっくりと妻の様子を見ながら掛止部１１が膣口に掛かるまで挿入するように操作する。挿入部１０に潤滑剤を塗るとより良い。このようにして膣内に所要の圧力を加えることが出来、膣内圧を増強させ正常に戻すことが可能である。なお掛止部１１には指で摘める摘部１２が設けられているため、夫がこの摘部１２を都合良く摘んで妻の膣内に挿入したり取り出して上げることが出来る。
【００１７】  この状態を継続する内に、膣道への圧迫刺激は膣括約筋の収縮運動を助長して膣道は収縮運動を行なう。太く設けられた挿入部１０はその前側ａと後側ｂとが傾斜してカーブとなっていることにより、前記収縮運動による力はカーブの部分に加わり挿入部１０が膣括約筋の収縮運動に追随して膣道内で進退運動を行うことに成る（この際に掛止部１１は屈曲自在であるから、挿入部１０の進退運動を阻害することがない）。従って膣道が挿入部１０から受ける圧力も単調な刺激ではなくなる。この膣圧強化具１はこのように膣内への挿入状態を継続させることで所望の効果を上げることが出来るのである。この膣内への挿入状態は家事仕事中でも継続させることが可能である。この際に膣圧強化具１を使用していることは外部からは気付かれない。逆に言えばこの考案の膣圧強化具は、極めて目立ち難い形状を呈していると言うことが出来る。
【００１８】  さて次のステップとして、妻の膣内が膣圧強化具１の挿入感・圧迫感に慣れたならば、夫は摘部１２を摘んでこの膣圧強化具１の膣内での進退運動を行うようにする。これによっても膣道や膣括約筋の強化を行うことが出来る。またこの際にも摘部１２は役に立つものとなっている。
【００１９】  なおこの実施形態では掛止部１１は恥骨部側にカーブしている。上述したように掛止部１１は挿入部１０が必要以上に膣内奥に入り込むことがないように設けられるものであると共に、夫による取り扱いの際の好都合な摘みともなり便利である（摘部１２を備えている）。なお膣道の収縮運動に伴なう挿入部１０の運動に連られるようにして掛止部１１も運動を行なうため、恥骨部側に対する刺激が増加して膣道の更なる収縮運動にもつながる。
【００２０】第２実施形態
この実施形態の膣圧強化具２は合成ゴムの芯部３の周りをシリコン樹脂の外皮で被覆して成るものであり、先端部が太く設けられて膣内に挿入する挿入部２０とされており、膣口の内部に当る部位が細く設けられて首部２３とされており、後端部が膣口の外側の周辺部に掛かる掛止部２１とされている。この実施形態では掛止部２１は会陰部側にカーブしており、この掛止部２１の後側に指で摘むための摘部２２が設けられている。なお前記挿入部２０の前側ａと後側ｂは傾斜している（図２）。合成ゴムの芯部３は芯材として働く。
【００２１】  この実施形態の作用効果は上述した第１実施形態の膣圧強化具１のそれに倣うものであるが、掛止部２１が会陰部側にカーブしている。従って膣道の収縮運動に伴なう挿入部２０の運動に連られるようにして掛止部２１も運動を行い、会陰部側を刺激するように働くため、これが膣道の収縮運動を助長するように作用するのである。
【００２２】第３実施形態
この実施形態の膣圧強化具４はシリコン樹脂成型に成るものであるが、内部に中空部４４が形成されており、恰もゴムボールのような弾力性と復元性とを示すものである。その先端部は太く設けられて膣内に挿入する挿入部４０とされており、膣口の内部に当る部位が細く設けられて首部４３とされており、また後端部が膣口の外側の周辺部に掛かる掛止部４１とされている。なお掛止部４１の後側に指で摘むための摘部４２が設けられている。また挿入部４０の前側ａと後側ｂは傾斜している（図３）。
【００２３】  この膣圧強化具４では弾力性と復元性とが中空部４４の空気圧により得られるようになっている。シリコン樹脂の外皮は腰を保つように比較的厚く形成されている。
【００２４】第４実施形態
この実施形態の膣圧強化具５は連続気泡性のフォームゴム６の周りをシリコン樹脂の外皮で被覆して成るものであり、先端部が太く設けられて膣内に挿入する挿入部５０とされており、膣口の内部に当る部位が細く設けられて首部５４とされており、後端部が膣口の外側の周辺部に掛かる掛止部５１とされている。この実施形態で特徴的な点は掛止部５１の後側に指で摘むための摘部５２が設けられており、その付け根に窪み部５３が設けられている点にある。またシリコン樹脂製外皮の挿入部５０の一部に、内部のフォームゴム６に通ずる漏出スリット５５が形成されている点にある。なお前記挿入部５０の前側ａと後側ｂは傾斜している（図４）。
【００２５】  実施形態に特徴的な掛止部５１の窪み部５３は摘み易くするために設けられたものであり、これには指や特に爪が掛かり易く、取り扱い時に指先が滑るなどの問題が少ないと言う特長がある。
【００２６】  またフォームゴム６は適度な弾力性と復元性とを示すが、このフォームゴム６の部分はこの実施形態のポケットでもあり、フォームゴム６は連続気泡性のものであるから、ここにゼリー状の潤滑剤を注入しておくことが出来る。すると膣圧によってフォームゴム６から前記漏出スリット５５を通して潤滑剤が徐々に押し出されて膣道を潤すことが出来る。従って膣道の萎縮があったとしても挿入部の挿入による痛みを感じさせることが緩和される。この漏出スリット５５は潤滑剤を注入する際にも用いられる。注入の際には、潤滑剤を入れた袋の口やボトルの口から直接注入することが出来るが、スポイト等を利用しても良い。
【産業上の利用可能性】
【００２７】  この考案の膣圧強化具は医療の分野に於ける利用が可能である。
【符号の説明】
【００２８】  １    膣圧強化具
１０  挿入部
１１  掛止部
１２  摘部
１３  首部
２    膣圧強化具
２０  挿入部
２１  掛止部
２２  摘部
２３  首部
３    芯部
４    膣圧強化具
４０  挿入部
４１  掛止部
４２  摘部
４３  首部
５    膣圧強化具
５０  挿入部
５１  掛止部
５２  摘部
５３  窪み部
５４  首部
５５  漏出スリット
６    フォームゴム
【図１】
0003157804.tif 000003
【図２】
0003157804.tif 000004
【図３】
0003157804.tif 000005
【図４】
0003157804.tif 000006